(57)【要約】【課題】スクリュー撹拌機構に対して対象物を集約して導くように構成し、これによって可及的に少ない自走範囲で広がった対象物を効率的に集約撹拌することが可能な撹拌移送装置を提供する。【解決手段】撹拌移送装置Ａは、エンジン機構１８の付勢作用下に、第１スクリュー２０を回転させる一方、第２スクリュー２２と第３スクリュー２４とをシリンダ３６、３８の作用下に互いに拡開させる。これにより、第１スクリュー２０の撹拌領域よりさらに広がった領域で対象物を集約し、前記第１スクリュー２０側へと撹拌移送する。【選択図】図３
2004290931.tif 000002
【特許請求の範囲】
【請求項１】
移動方向に直交して配置される門型の架台と、
前記架台の一方の端部に設けられるエンジン機構と、
前記架台の他方の端部に設けられる操作機構と、
前記架台の両端部に設けられる車輪と、
前記車輪間に画成される空間に設けられて該空間内で対象物を撹拌する第１スクリューと、
前記第１スクリューの一方の端部側へと前記対象物を搬送するために第１フラップに保持された第２スクリューと、
前記第１スクリューの他方の端部側へと前記対象物を搬送するために第２フラップに保持された第３スクリューとを備え、
前記第２スクリューと第３スクリューとは軸線に対し４５°〜８５°、好ましくは６５°〜８０°に傾斜した羽根を有し、
前記エンジン機構の付勢作用下に前記操作機構を介して前記架台を移動させる際、前記第２スクリューと第３スクリューの回転作用下に前記対象物を前記第１スクリュー側へと搬送し、前記第１スクリューは前記対象物を前記架台の中心側へと撹拌移送することを特徴とする撹拌移送装置。
【請求項２】
請求項１記載の撹拌移送装置において、前記第２スクリューと第３スクリューは、互いに接近・離間するように角度調整自在であることを特徴とする撹拌移送装置。
【発明の詳細な説明】
【０００１】
【発明の属する技術分野】
本発明は、撹拌移送装置に関し、一層詳細には、例えば、家畜の糞尿や野菜くず、生ごみ、剪定枝等の生物系廃棄物を自走しながら自動的に堅実に撹拌し、良質なコンポスト（堆肥）を製造するためのコンポストターナーにおける撹拌移送装置に関する。
【０００２】
【従来の技術】
自走式コンポストターナー用撹拌装置において、門型の架台の下方に移動方向と直交する方向にスクリュー撹拌機構を設け、前記架台を自走させながら前記スクリュー撹拌機構で家畜糞尿、木質系廃棄物、野菜くず、生ごみ、剪定枝等（以下、生物系廃棄物という）を混合撹拌する装置は既に広範に用いられるに至っている（例えば、特許文献１参照）。
【０００３】
【特許文献１】
欧州特許第０，３４６，６４２Ｂ１号明細書
【０００４】
【発明が解決しようとする課題】
しかしながら、スクリュー撹拌機構に生物系廃棄物をその周縁部から好適に集約するように移送する装置は未だ存在しなかった。従って、広範囲にわたって存在する生物系廃棄物を前記スクリュー撹拌機構によって混合撹拌しようとするとき、前記架台の自走範囲が拡大し、作業効率が悪いという欠点が指摘されている。
【０００５】
本発明は、この問題を解決するためになされたものであり、前記スクリュー撹拌機構に対して生物系廃棄物を効率的に集約して導くように構成し、これによって可及的に少ない自走範囲で広がった生物系廃棄物を撹拌することが可能な撹拌移送装置を提供することを目的とする。
【０００６】
【課題を解決するための手段】
本発明の請求項１に係る撹拌移送装置は、移動方向に直交して配置される門型の架台と、
前記架台の一方の端部に設けられるエンジン機構と、
前記架台の他方の端部に設けられる操作機構と、
前記架台の両端部に設けられる車輪と、
前記車輪間に画成される空間に設けられて該空間内で対象物を撹拌する第１スクリューと、
前記第１スクリューの一方の端部側へと前記対象物を搬送するために第１フラップに保持された第２スクリューと、
前記第１スクリューの他方の端部側へと前記対象物を搬送するために第２フラップに保持された第３スクリューとを備え、
前記第２スクリューと第３スクリューとは軸線に対し４５°〜８５°、好ましくは６５°〜８０°に傾斜した羽根を有し、
前記エンジン機構の付勢作用下に前記操作機構を介して前記架台を移動させる際、前記第２スクリューと第３スクリューの回転作用下に前記対象物を前記第１スクリュー側へと搬送し、前記第１スクリューは前記対象物を前記架台の中心側へと撹拌移送することを特徴とする。
【０００７】
すなわち、第２スクリューと第３スクリューが第１スクリューの移動方向前方にあって、当該第１スクリューよりも広範囲にわたって生物系廃棄物を第１スクリュー側へと移送する。第１スクリューは、この移送された生物系廃棄物および移動方向前方に存在する生物系廃棄物を一挙に撹拌する。これにより、移動方向のみならず、第１スクリューの移動範囲から逸脱した部分に存在する生物系廃棄物を前記第１スクリューに導くことができ、可及的に少ない移動範囲でありながら広範囲にわたって生物系廃棄物を混合撹拌することができる。
【０００８】
なお、この場合、第２スクリューと第３スクリューとを、互いに接近・離間するように角度調整自在に構成しておくことにより、その角度如何によって第１スクリューの移動範囲から逸脱した生物系廃棄物を当該第１スクリューに移送することができる。このため、特に、畑の周縁部分では第２スクリューまたは第３スクリューを角度調整することにより、生物系廃棄物の集約範囲が制御される。
【０００９】
【発明の実施の形態】
本発明に係る撹拌移送装置について好適な実施の形態を挙げ、添付の図面を参照しながら以下詳細に説明する。
【００１０】
図１は、本発明の実施形態に係る撹拌移送装置Ａの正面図であり、図２は、前記撹拌移送装置Ａの右側面図、図３は、前記撹拌移送装置Ａの平面図である。
【００１１】
撹拌移送装置Ａの架台１０は、所謂、門型であり、その下方中央部分には空間１２が画成される。前記架台１０には、図２から諒解されるように、その左右両端部に前後にわたって車輪１４ａ、１４ｂがそれぞれ回転自在に装着される。
【００１２】
図１に示すように、架台１０の右側端部には操作機構としての運転席１６が設けられ、また、架台１０の左側端部にはエンジン機構１８が設けられている。前記架台１０の下方には、空間１２を横断するように第１スクリュー２０が図示しない軸受機構を介して回転自在に軸支されている。そして、前記架台１０のエンジン機構１８側下端部にあって後述する第１フラップ３２に第２スクリュー２２が回転自在に装着され、また、前記架台１０の右側端部にあって後述する第２フラップ３４に第３スクリュー２４が設けられる。
【００１３】
前記第１スクリュー２０、第２スクリュー２２および第３スクリュー２４は、前記エンジン機構１８の作用下に、それぞれ回転自在である。
【００１４】
第１スクリュー２０には、その両側に移送用の羽根２６ａ、２６ｂが設けられ、一方、中央部に撹拌機構２７が設けられている。撹拌機構２７は、複数の撹拌羽根２７ａを有する。前記羽根２６ａ、２６ｂは、第１スクリュー２０の回転作用下に、生物系廃棄物をそれぞれ中央部に導くように該羽根２６ａ、２６ｂの角度が設定されている。第２スクリュー２２、第３スクリュー２４にもそれぞれ羽根２８、３０が設けられている。
【００１５】
ここで、エンジン機構１８から前記第２スクリュー２２、第３スクリュー２４を回転させるための回転力伝達機構について、図３および図４を参照しながら説明する。
【００１６】
図３に示されるように、前記第２スクリュー２２、第３スクリュー２４に関連して、第１フラップ３２、第２フラップ３４が架台１０の前方に突出して設けられる。第１フラップ３２、第２フラップ３４は、それぞれシリンダ３６、３８の付勢作用下に、架台１０に設けられている軸を中心にして互いに進行方向前方に対して交差するようにその角度を調整自在である。
【００１７】
第１フラップ３２側の第２スクリュー２２と第２フラップ３４側の第３スクリュー２４の構成は略同じであることから、第３スクリュー２４についてのみ以下詳細に説明する。
【００１８】
第３スクリュー２４側には、油圧モータ４０が設けられ、この油圧モータ４０は、その出力軸が歯車機構４２に連結されている。そして、歯車機構４２を構成するはすば歯車（図示せず）を介して油圧モータ４０の回転力が第３スクリュー２４に伝達されるように構成されている。第３スクリュー２４の端部には、前記第２フラップ３４によって保持された軸受４４が設けられている。この場合、第２スクリュー２２と第３スクリュー２４のそれぞれの羽根２８、３０の角度は４５°〜８５°の範囲、好ましくは６５°〜８０°の範囲に設定すると、生物系廃棄物の集約に効果がある。
【００１９】
本実施の形態に係る撹拌移送装置Ａは、基本的には以上のように構成されるものであり、次にその作用および効果について説明する。
【００２０】
運転席１６に着座するオペレータがエンジン機構１８を付勢し、車輪１４ａ、１４ｂを介して撹拌移送装置Ａを前進させる。そして、生物系廃棄物が山積みされた畑に至ると、この車輪１４ａ、１４ｂの回転作用下に、空間１２内に前記生物系廃棄物を導き入れる。すなわち、エンジン機構１８の駆動作用下に、第１スクリュー２０が回転駆動されると、羽根２６ａ、２６ｂは前記生物系廃棄物を空間１２の中央部へと巻き込み、撹拌機構２７の撹拌羽根２７ａは前記生物系廃棄物を撹拌する。そして、前記生物系廃棄物はその高さが架台１０の空間１２頂部になるように規制される。
【００２１】
一方、前記エンジン機構１８の回転は、油圧モータ４０を付勢し、歯車機構４２を介して第２スクリュー２２、第３スクリュー２４を回転駆動させる。この場合、第２スクリュー２２と第３スクリュー２４の拡開する角度は、シリンダ３６、シリンダ３８を付勢して、そのロッドの伸縮力によって第１フラップ３２と第２フラップ３４を偏位させることにより自在に変更することができる。この結果、図３から明らかなように、第１スクリュー２０によって巻き込まれる生物系廃棄物の範囲が大きく広がり、これにより、架台１０の自走範囲よりも広く、すなわち、第１スクリュー２０の巻き込む領域よりも広い範囲に存在する生物系廃棄物を効率的に集約することができる。
【００２２】
なお、前記架台１０が畑の隅角部あるいは縁部に到達したとき、第１フラップ３２または第２フラップ３４の角度調整を前記シリンダ３６、シリンダ３８の付勢作用下に行うことにより、例えば、第２フラップ３４を架台１０の自走方向に沿って平行に設置することができる。従って、第１フラップ３２側の第２スクリュー２２のみによって畑の縁部若しくは隅角部の生物系廃棄物を集約することができる。
【００２３】
【発明の効果】
本発明に係る撹拌移送装置によれば、第１スクリューの撹拌移送範囲に対して第２スクリューと第３スクリューの角度を調整することによって対象物、例えば、生物系廃棄物の集約範囲を広げたり縮めたりすることができる。そのため、撹拌移送装置の自走範囲を可及的に少なくし、なおかつ広範囲にわたって対象物を集約し、それを第１スクリューによって撹拌することが可能となる。
【００２４】
しかも、羽根の角度を４５°〜８５°、好ましくは６５°〜８０°に設定したので、効率的に対象物を第１スクリュー側へと移送することができる。
【００２５】
さらに、本発明によれば、単にフラップによって対象物を第１スクリュー側へ導く作用に比して、回転する第２スクリューと第３スクリューとにより強制的に対象物を第１スクリュー側へと撹拌移送するので、かき込み性能が大となり、このために第１フラップ側と第２フラップ側の位置における対象物の滞留による過負荷が除去されることにより前進移動が不能となることも回避される効果が得られる。
【図面の簡単な説明】
【図１】本発明の実施形態に係る撹拌移送装置の正面図である。
【図２】図１に示す撹拌移送装置の右側面図である。
【図３】図１に示す撹拌移送装置の平面図である。
【図４】第２スクリュー側の機構の分解説明図である。
【符号の説明】
１０…架台                        １６…運転席
１８…エンジン機構                ２０、２２、２４…スクリュー
２６ａ、２６ｂ、２８、３０…羽根  ３２、３４…フラップ
Ａ…撹拌移送装置
【図１】
2004290931.tif 000003
【図２】
2004290931.tif 000004
【図３】
2004290931.tif 000005
【図４】
2004290931.tif 000006